(57)【要約】【課題】  無駄な通信費を出すことなく、受信画像で文字等が識別不能になるのを低減することが可能なファクシミリにおける通信方法を提供する。【解決手段】  原稿をカラースキャナで読み取り、原稿に色データがあるかどうか判別し、原稿がカラーの場合、ＦＡＸ送信する前に原稿がカラーである旨報知し、同時に、２値化したＦＡＸ送信画像を紙に出力する、あるいは、２値化したＦＡＸ送信画像を表示する。【選択図】        図１
2005079695.tif 000002
【特許請求の範囲】
【請求項１】
原稿を読み取るカラースキャナと、該カラースキャナからの原稿データがカラー画像であるか否かを判別する画像判別手段と、ＦＡＸ送信する前に原稿がカラーである旨報知する報知手段とを備え、
原稿を前記カラースキャナで読み取り、当該原稿に色データがあるか否かを前記画像判別手段により判別し、当該原稿がカラー原稿の場合、ＦＡＸ送信する前に原稿がカラーである旨を前記報知手段により操作者に報知することを特徴とするファクシミリ装置。
【請求項２】
請求項１記載のファクシミリ装置において、前記報知手段により原稿がカラーである旨を報知すると共に、２値化したＦＡＸ送信画像を紙に出力することを特徴とするファクシミリ装置。
【請求項３】
請求項１記載のファクシミリ装置において、前記報知手段により原稿がカラーである旨を報知すると共に、２値化したＦＡＸ送信画像を表示部に表示することを特徴とするファクシミリ装置。
【請求項４】
原稿をカラースキャナで読み取り、当該原稿に色データがあるか否かを判別し、当該原稿がカラー原稿の場合、ＦＡＸ送信する前に原稿がカラーである旨を操作者に報知することを特徴とするファクシミリ通信方法。
【請求項５】
請求項４記載のファクシミリ通信方法において、原稿がカラーである旨を報知すると共に、２値化したＦＡＸ送信画像を紙に出力することを特徴とするファクシミリ通信方法。
【請求項６】
請求項４記載のファクシミリ通信方法において、原稿がカラーである旨を報知すると共に、２値化したＦＡＸ送信画像を表示部に表示することを特徴とするファクシミリ通信方法。
【発明の詳細な説明】
【技術分野】
【０００１】
本発明は、カラー原稿をファクシミリ装置により送信する場合に、カラー画像を正確に送信するためのファクシミリ装置及びファクシミリ通信方法に関するものである。
【背景技術】
【０００２】
従来のファクシミリ装置の場合、送信する原稿が白黒かカラーかは操作者のみが認識していた。そのため、操作者がカラー原稿、特に背景が色付きでその中に文字等が存在した場合、受信側でその文字が認識できない等の不都合があった。またカラーＦＡＸ機能つきの装置においても、送信先の装置との交信を開始した後でしか受信画像の状態を推測できなかった。
従来技術として、特開２００２−２４７３８８公報には、白黒原稿データのみに対応した送信プロトコルを備えたインターネット・ファクシミリ装置において、使用者に対してカラー画像データの取り扱い上の不具合を生じさせないようにする技術について開示されている。それによると、ＣＰＵは、カラースキャナによって画像データが取り込まれ、画像メモリへのデータ蓄積動作を終了した後、蓄積されたデータ中にカラー原稿データがあると判断し、さらに、使用者によりファクシミリ送信が設定され、ファクシミリ宛先が入力されたことを認識した場合、操作表示部における表示部に「カラー原稿が含まれるため送信できません」などのエラー表示を行わせるものである。
【特許文献１】特開２００２−２４７３８８公報
【発明の開示】
【発明が解決しようとする課題】
【０００３】
しかし、特許文献１に開示されている従来技術は、カラー原稿の場合、エラー表示として操作部に表示するものであり、カラー原稿の画像品質を予め確認することができなかった。
本発明は、無駄な通信費を出すことなく、受信画像で文字等が識別不能になる事態の発生を低減することが可能なファクシミリにおける通信方法を提供することを目的とする。
【課題を解決するための手段】
【０００４】
上記目的を達成するために、請求項１記載の発明は、原稿をカラースキャナで読み取り、原稿に色データがあるかどうか判別し、原稿がカラーの場合、ＦＡＸ送信する前に原稿がカラーである旨報知するファクシミリにおける通信方法を最も主要な特徴とする。
請求項２記載の発明は、請求項１記載のファクシミリ装置において、原稿がカラーである旨報知すると同時に、２値化したＦＡＸ送信画像を紙に出力するファクシミリにおける通信方法を主要な特徴とする。
請求項３記載の発明は、請求項１記載のファクシミリにおける通信方法において、原稿がカラーである旨報知すると同時に、２値化したＦＡＸ送信画像を表示するファクシミリにおける通信方法を主要な特徴とする。
【発明の効果】
【０００５】
請求項１のファクシミリ装置は、原稿を読み取るカラースキャナと、該カラースキャナからの原稿データがカラー画像であるか否かを判別する画像判別手段と、ＦＡＸ送信する前に原稿がカラーである旨報知する報知手段とを備え、原稿を前記カラースキャナで読み取り、当該原稿に色データがあるか否かを前記画像判別手段により判別し、当該原稿がカラー原稿の場合、ＦＡＸ送信する前に原稿がカラーである旨を前記報知手段により操作者に報知することを特徴とする。従って、特別な装置や画処理等を必要とすることなく、受信画像で文字等が識別不能になることを低減し、かつ通信費を低減することができる。
請求項２のファクシミリ装置は、請求項１記載のファクシミリ装置において、前記報知手段により原稿がカラーである旨を報知すると共に、２値化したＦＡＸ送信画像を紙に出力することを特徴とする。従って、特別な装置や画処理等を必要とすることなく、受信画像で文字等が識別不能になることを防止し、かつ通信費を低減することができる。
請求項３のファクシミリ装置は、請求項１記載のファクシミリ装置において、前記報知手段により原稿がカラーである旨を報知すると共に、２値化したＦＡＸ送信画像を表示部に表示することを特徴とする。従って、特別な装置や画処理等を必要とすることなく、受信画像で文字等が識別不能になることを防止し、かつ通信費を低減することができる。
請求項４のファクシミリ通信方法は、原稿をカラースキャナで読み取り、当該原稿に色データがあるか否かを判別し、当該原稿がカラー原稿の場合、ＦＡＸ送信する前に原稿がカラーである旨を操作者に報知することを特徴とする。
請求項５のファクシミリ通信方法は、請求項４記載のファクシミリ通信方法において、原稿がカラーである旨を報知すると共に、２値化したＦＡＸ送信画像を紙に出力することを特徴とする。
請求項６のファクシミリ通信方法は、請求項４記載のファクシミリ通信方法において、原稿がカラーである旨を報知すると共に、２値化したＦＡＸ送信画像を表示部に表示することを特徴とする。
【発明を実施するための最良の形態】
【０００６】
以下、本発明の実施の形態を図面に従って説明する。
図１は、ファクシミリ装置１００の内部構成例を示したブロック図である。
図１において、システム制御部１は、このネットワークファクシミリ装置の各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置に固有な各種の情報を記憶するためのものであり、時計回路４は、現在時刻情報を出力するものである。
また、カラースキャナ５は、所定の解像度でカラー原稿画像を読み取るためのものであり、プロッタ６は、所定の解像度で画像を記録出力するためのものであり、操作表示部７は、このファクシミリ装置を操作するためのもので、各種の操作キー、および、各種の表示器からなり、操作状況を表示し、画面に触れることにより操作できるディスプレイを有している。
また、符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
また、グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【０００７】
また、網制御装置１１は、このファクシミリ装置を国際電話回線網ＰＳＴＮに接続するためのものであり、自動発着信機能を備えている。ローカルエリアネットワークインターフェース回路１２は、このファクシミリ装置をローカルエリアネットワークＬＡＮ１０１に接続するためのものであり、ローカルエリアネットワーク伝送制御部１３は、ローカルエリアネットワークＬＡＮ１０１を介して、他のデータ端末装置との間で種々のデータをやりとりするための各種所定のプロトコルスイートの通信制御処理（電子メール送受信処理等）を実行するためのものである。
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
また、網制御装置１１とグループ３ファクシミリモデム１０との間のデータのやりとりは、直接行なわれている。
図２は本発明のファクシミリにおける通信方法の第１の動作例を示すフローチャートである。カラースキャナ５にて原稿の読み取りを行い（Ｓ１）、原稿はカラーか判断する（Ｓ２）。原稿がカラーの場合、カラー原稿であることを操作表示部７などを利用して操作者に通達する（Ｓ３）。操作者がそのままＦＡＸ送信する旨指令した場合（Ｓ４でＹ）、ＦＡＸ送信する（Ｓ５）。原稿がカラーでない場合、そのままＦＡＸ送信する（Ｓ５）。また操作者がＦＡＸ送信しない旨指令した場合（Ｓ４でＮ）、ＦＡＸ送信を中止する（Ｓ６）。
【０００８】
図３は本発明のファクシミリにおける通信方法の第２の動作例を示すフローチャートである。カラースキャナにて原稿の読み取りを行い（Ｓ１）、原稿はカラーか判断する（Ｓ２）。原稿がカラーの場合、カラー原稿であることを操作部などを利用して操作者に通達する（Ｓ３）。操作者がそのままＦＡＸ送信する旨指令した場合（Ｓ４でＹ）、ＦＡＸ送信する（Ｓ５）。原稿がカラーでない場合、そのままＦＡＸ送信する（Ｓ５）。
また操作者がＦＡＸ送信しない旨指令した場合（Ｓ４でＮ）、紙出力で確認するか操作者に判断させる（Ｓ６）。操作者が紙出力で確認する旨指令した場合、２値化紙出力画像を出力し操作者に確認させる（Ｓ７）。確認後操作者がそのままＦＡＸ送信する旨指令した場合（Ｓ８でＹ）、ＦＡＸ送信する（Ｓ５）。操作者が紙出力で確認しない旨指令した場合、ＦＡＸ送信を中止する（Ｓ９）。
図４は本発明のファクシミリにおける通信方法の第３の動作例を示すフローチャートである。カラースキャナにて原稿の読み取りを行い（Ｓ１）、原稿はカラーか判断する（Ｓ２）。原稿がカラーの場合、カラー原稿であることを操作部などを利用して操作者に通達する（Ｓ３）。操作者がそのままＦＡＸ送信する旨指令した場合（Ｓ４でＹ）、ＦＡＸ送信する（Ｓ５）。原稿がカラーでない場合、そのままＦＡＸ送信する（Ｓ５）。
また操作者がＦＡＸ送信しない旨指令した場合（Ｓ４でＮ）、ＬＣＤ画面で確認するか操作者に判断させる（Ｓ６）。操作者がＬＣＤ画面で確認する旨指令した場合、２値化ＬＣＤ画像を表示し操作者に確認させる（Ｓ７）。確認後操作者がそのままＦＡＸ送信する旨指令した場合（Ｓ８でＹ）、ＦＡＸ送信する（Ｓ５）。操作者がＬＣＤ画面で確認しない旨指令した場合、ＦＡＸ送信を中止する（Ｓ９）。
【産業上の利用可能性】
【０００９】
本発明の利用可能性として、ファクシミリ及びファクシミリ機能を有するデジタル複合機が挙げられる。
【図面の簡単な説明】
【００１０】
【図１】本発明のファクシミリ装置１００の内部構成例を示したブロック図。
【図２】本発明のファクシミリ装置の第１の動作例を示すフローチャート。
【図３】本発明のファクシミリ装置の第２の動作例を示すフローチャート。
【図４】本発明のファクシミリ装置の第３の動作例を示すフローチャート。
【符号の説明】
【００１１】
１  システム制御部
２  システムメモリ
３  パラメータメモリ
４  時計回路
５  カラースキャナ
６  プロッタ
７  操作表示部
８  符号化復号化部
９  画像蓄積装置
１０  グループ３ファクシミリモデム
１１  網制御装置
１２  ローカルエリアネットワークインターフェース回路
１３  ローカルエリアネットワーク伝送制御部
１４  内部バス
【図１】
2005079695.tif 000003
【図２】
2005079695.tif 000004
【図３】
2005079695.tif 000005
【図４】
2005079695.tif 000006